(57)【要約】【課題】ガスメータ自身に内部メモリに格納された情報を表示するための機能を持たすことなく、情報を表示することにより、コストダウンを図った表示装置を提供する。【解決手段】接続ピン２１が、ガスメータ１０に備えられた、通信端子と接続されている。ＣＰＵ２４ａが、上記接続ピン２１を介して、ガスメータ１０内の通信端子に対して、読出信号を送信する。ガスメータ１０側では、この読出信号の受信に応じて、内部メモリに格納された情報を読み出すと共に、該読み出した情報を、通信端子、接続ピン２１を介して表示装置２０に送信する。ＣＰＵ２４ａが、ガスメータ１０から受信した内部メモリに格納された情報に基づいた演算情報を表示器２６に表示する。【選択図】　　　図２
2004101309.tif 000002
【特許請求の範囲】
【請求項１】
メータ側端子を介しての読出信号の受信に応じて、内部メモリに格納された情報を読み出すと共に、該読み出した情報を前記メータ側端子を介して外部に送信するガスメータと接続される表示装置であって、
前記メータ側端子と接続される表示装置側端子と、
前記表示装置側端子を介して、前記ガスメータ内の前記メータ側端子に対し、前記読出信号を送信する送信手段と、
前記読出信号の送信に応じて、受信した情報に基づいて演算を行う演算手段と、
前記演算して得た演算情報を表示する表示手段と
を備えたことを特徴とする表示装置。
【請求項２】
請求項１記載の表示装置であって、
電話線と接続し、該電話線を介して管理センタとの通信を行わせる通信装置が、接続される通信端子を
さらに備えることを特徴とする表示装置。
【請求項３】
請求項１記載の表示装置であって、
前記読出信号に応じて、前記ガスメータによって読み出し、送信される情報は、ガス使用量の積算値を含み、
前記演算手段は、前記受信したガス使用量の積算値及びガスの単価情報に基づき、ガス料金を演算し、
前記表示手段は、演算したガス料金を表示する
ことを特徴とする表示装置。
【請求項４】
請求項３記載の表示装置であって、
前記ガス使用量の積算値は、料金体系毎に各々格納されており、
前記演算手段は、前記受信した料金体系毎のガス使用量の積算値の各々、及び、前記料金体系毎のガスの単価情報に基づき、ガス料金を演算する
ことを特徴とする表示装置。
【請求項５】
請求項３又は４記載の表示装置であって、
電話線と接続し、該電話線を介して管理センタとの通信を行わせる通信装置が、接続される通信端子と、
前記通報装置を介した前記管理センタからの前記単価情報の書換を命令する書換命令信号の受信に応じて、前記単価情報を書き換える書換手段を
さらに備えることを特徴とする表示装置。
【請求項６】
請求項１〜５何れか１項記載の表示装置であって、
前記読出信号に応じて、ガスメータによって読み出し、送信される情報は、前記ガスメータの保安情報、又は、プリペイドのガス残量情報を含む
ことを特徴とする表示装置。
【請求項７】
請求項１〜６何れか１項記載の表示装置であって、
前記ガスメータ内の前記メータ側端子を覆う取り外し可能なカバーと一体に設けられている
ことを特徴とする表示装置。
【請求項８】
請求項７記載の表示装置であって、
前記メータ側端子と対向する面に、前記表示装置側端子が突起している
ことを特徴とする表示装置。
【請求項９】
請求項１〜６何れか１項記載の表示装置であって、
前記ガスメータ内の前記メータ側端子を覆う取り外し可能なカバーのネジ孔と共締めできるネジ孔を備える
ことを特徴とする表示装置。
【発明の詳細な説明】
【０００１】
【発明の属する技術分野】
この発明は、表示装置に係わり、特に、ガスメータの内部メモリに格納された情報を基に演算により得た演算情報を表示する表示装置に関する。
【０００２】
【従来の技術】
従来、ガスメータには、ガス使用量をカウントするカウンタ、ガスの保安情報を格納するメモリなど複数の内部メモリを備えている。また、ガスメータは、ＮＣＵといった通信装置、電話回線を介して接続された管理センタからの読出信号の受信に応じて、上述した内部メモリに格納された情報を読み出して、管理センタに対して送信している。
【０００３】
ところで、最近では、深夜に使用したガスの値引きや、販売促進を図っているＧＨＰなどのガス器具により使用されたガスの値引き等の多様な料金体系が採用しているガス会社がある。このような多様な料金体系が採用されたガスメータは、その料金体系毎にガス使用量をカウントするため、複数のカウントを内部に備えている。
【０００４】
ところが、従来のガスメータは、ガス使用量を機械的に積算して、その積算値を表示するカウンタ式の表示器しか備えておらず、各料金体系毎のガス使用量の積算値や、その料金を表示する表示器は備えていなかった。このため、ガス消費者がガス料金について不信感を抱いてしまうという問題があった。
【０００５】
このような問題を解決するため、例えば、特許文献１に示された複数電子カウンタ搭載型のガスメータが提案されている。このガスメータは、料金体系毎にガス使用量をカウントすると共に、カウントされた各々のガス使用量と、料金体系毎の料金単価とに基づき演算したガス料金を内蔵した表示装置に表示している。
【０００６】
このように、ガス料金をガスメータに内蔵された表示装置に表示して、ガス消費者がいつでもガス料金を確認できるようにすることにより、ガス消費者がガス料金について不信感を抱くことを防止している。
【０００７】
【特許文献１】
特開２０００−２０５９２３号公報
【０００８】
【発明が解決しようとする課題】
しかしながら、上述した従来のガスメータでは、内蔵された表示装置を使って、ガス料金、つまり、内部メモリに格納された情報を基に演算して得た演算情報を表示している。このため、複数の料金体系を使用しない設置先や、複数の料金体系の表示を不必要とする設置先にも、内蔵された表示装置を使って内部メモリに格納された情報に基づいた演算情報を表示するガスメータを設定する必要があるため、コスト的に問題があった。また、料金体系毎のガス使用量の積算値などを表示するために、従来のガスメータを取り除いて、ガスメータ自身に内部メモリに格納された情報に基づき演算を行う機能と、演算により得た演算情報を表示するための機能を持つガスメータを新たに設置しなければならず、コスト的に問題があった。
【０００９】
そこで、本発明は、上記のような問題点に着目し、ガスメータ自身の内部メモリに格納された情報に基づいた演算情報を表示することにより、コストダウンを図った表示装置を提供することを課題とする。
【００１０】
【課題を解決するための手段】
上記課題を解決するためになされた請求項１記載の発明は、メータ側端子を介しての読出信号の受信に応じて、内部メモリに格納された情報を読み出すと共に、該読み出した情報を前記メータ側端子を介して外部に送信するガスメータと接続される表示装置であって、前記メータ側端子と接続される表示装置側端子と、前記表示装置側端子を介して、前記ガスメータ内の前記メータ側端子に対し、前記読出信号を送信する送信手段と、前記読出信号の送信に応じて、受信した情報に基づいて演算を行う演算手段と、前記演算して得た演算情報を表示する表示手段とを備えたことを特徴とする表示装置に存する。
【００１１】
請求項１記載の発明によれば、表示装置側端子が、ガスメータに備えられた、メータ側端子と接続されている。送信手段が、上記表示装置側端子を介して、ガスメータ内のメータ側端子に対して、読出信号を送信する。ガスメータ側では、この読出信号の受信に応じて、内部メモリに格納された情報を読み出すと共に、該読み出した情報を、メータ側端子、表示装置側端子を介して表示装置に送信する。演算手段が、読出信号の送信に応じて、受信した情報に基づいて演算を行う。表示手段が、演算して得た演算情報を表示する。
【００１２】
従って、ガスメータが本来持っている読出信号の受信に応じて内部メモリに格納された情報を読み出すと共に、該読み出した情報をメータ側端子を介して外部に送信するという機能を流用して、ガスメータに外付けした表示装置によって、内部メモリの情報に基づいた演算情報を表示することができる。このため、ガスメータ自身に内部メモリに格納された情報に基づいて演算する機能や、演算して得た演算情報を表示するための機能を持たすことなく、情報を表示することができる。
【００１３】
請求項２記載の発明は、請求項１記載の表示装置であって、電話線と接続し、該電話線を介して管理センタとの通信を行わせる通信装置が、接続される通信端子をさらに備えることを特徴とする表示装置に存する。
【００１４】
請求項２記載の発明によれば、メータ側端子としてガスメータ側通信端子を用いた場合、このガスメータ側通信端子と通信装置との接続ができなくなるが、表示装置に通信装置が接続される通信端子を備えることにより、表示装置を介して、通信装置との接続ができるようになる。
【００１５】
請求項３記載の発明は、請求項１記載の表示装置であって、前記読出信号に応じて、前記ガスメータによって読み出し、送信される情報は、ガス使用量の積算値を含み、前記演算手段は、前記受信したガス使用量の積算値及びガスの単価情報に基づき、ガス料金を演算し、前記表示手段は、演算したガス料金を表示することを特徴とする表示装置に存する。
【００１６】
請求項３記載の発明によれば、演算手段が、受信した内部メモリの情報であるガス使用量の積算値及びガスの単価情報に基づき、ガス料金を演算する。表示手段が、演算したガス料金を表示する。従って、ガス消費者が、表示装置を使ってガス使用量の積算値だけでなく、ガス料金を確認することができる。しかも、ガスメータ自身にガス料金を演算する機能を持たせなくても、ガス料金を表示することができる。
【００１７】
請求項４記載の発明は、請求項３記載の表示装置であって、前記ガス使用量の積算値は、料金体系毎に各々格納されており、前記演算手段は、前記受信した料金体系毎のガス使用量の積算値の各々、及び、前記料金体系毎のガスの単価情報に基づき、ガス料金を演算することを特徴とする表示装置に存する。
【００１８】
請求項４記載の発明によれば、演算手段が、受信した内部メモリの情報である料金体系毎のガス使用量の積算値の各々、及び、料金体系毎のガスの単価情報に基づき、ガス料金を演算する。表示手段が、演算したガス料金を表示する。従って、ガス会社が多様な料金体系を採用している場合であっても、ガス消費者がガス料金を確認することができる。しかも、ガスメータ自身にガス料金を演算する機能を持たせなくても、ガス料金を表示することができる。
【００１９】
請求項５記載の発明は、請求項３又は４記載の表示装置であって、電話線と接続し、該電話線を介して管理センタとの通信を行わせる通信装置が、接続される通信端子と、前記通報装置を介した前記管理センタからの前記単価情報の書換を命令する書換命令信号の受信に応じて、前記単価情報を書き換える書換手段をさらに備えることを特徴とする表示装置に存する。
【００２０】
請求項５記載の発明によれば、書換手段が、通信端子に接続された通報装置を介した前記管理センタからの単価情報の書換を命令する書換命令信号の受信に応じて、単価情報を書き換える。従って、料金の改正があった場合に、簡単に単価情報を書き換えることができる。
【００２１】
請求項６記載の発明は、請求項１〜５何れか１項記載の表示装置であって、前記読出信号に応じて、ガスメータによって読み出し、送信される情報は、前記ガスメータの保安情報、又は、プリペイドのガス残量情報を含むことを特徴とする表示装置に存する。
【００２２】
請求項６記載の発明によれば、表示手段が、ガスメータの保安情報、又は、プリペイドのガス残量情報を表示する。従って、ガス消費者や、ガス作業員が、表示装置を使って保安情報や、プリペイドのガス残量情報を確認することができる。
【００２３】
請求項７記載の発明は、請求項１〜６何れか１項記載の表示装置であって、前記ガスメータ内の前記メータ側端子を覆う取り外し可能なカバーと一体に設けられていることを特徴とする表示装置に存する。
【００２４】
請求項７記載の発明によれば、ガスメータ内のメータ側端子を覆う取り外し可能なカバーと一体に設けられている。従って、カバーと一体に設けることにより、表示装置をガスメータ付近に配置する際に、ガスメータ側面などにステーを介して固定したり、ガスメータ付近の壁に穴を開けて固定する必要がなく、カバーを取り付けるだけでよい。
【００２５】
請求項８記載の発明は、請求項７記載の表示装置であって、前記メータ側端子と対向する面に、前記表示装置側端子が突起していることを特徴とする表示装置に存する。
【００２６】
請求項８記載の発明によれば、メータ側端子と対向する面に、表示装置側端子が突起している。従って、カバーを取り付ける際に、表示装置側端子をメータ側端子に接触させることにより、メータ側端子と表示装置側端子とを接続することができる。
【００２７】
請求項９記載の発明は、請求項１〜６何れか１項記載の表示装置であって、前記ガスメータ内の前記メータ側端子を覆う取り外し可能なカバーのネジ孔と共締めできるネジ孔を備えることを特徴とする表示装置に存する。
【００２８】
請求項９記載の発明によれば、ガスメータ内のメータ側端子を覆う取り外し可能なカバーのネジ孔と共締めできるネジ孔を備えている。従って、表示装置をガスメータ付近に配置する際に、ガスメータ側面などにステーを介して固定したり、ガスメータ付近の壁に穴を開けて固定する必要がなく、カバーと表示装置を共締めして、ガスメータに取り付けるだけでよい。
【００２９】
【発明の実施の形態】
以下、本発明の実施の形態を図面に基づいて説明する。図１は、ガスメータ、本発明の表示装置及び該表示装置が取り付けられたガスメータの一実施の形態を示す外観図である。同図（Ａ）に示すように、ガスメータ１０は、ガス燃焼器具に供給されるガスの通過流量を機械的にカウントして、その積算値を表示するカウント式表示器１１と、複数の端子台１２（メータ側端子に相当）とが設けられている。そして、表示装置２０が一体に設けられたカバー１３（同図（Ｂ）参照）が、この端子台１２を覆うように、ビス１４によってガスメータ１０に着脱可能に取り付けられている（同図（Ｃ）参照）。
【００３０】
上述した端子台１２は、図２に示すように、伝送コントローラ（以下、ＮＣＵ）に接続するための通信端子１２ａを備えている。上記ＮＣＵは、請求項中の通信装置に相当し、電話線と接続され、接続された電話線を介してガスメータ１０と、その管理センタとの通信を制御する装置である。
【００３１】
また、端子台１２には、ガスメータ１０内に設けられた遮断弁（図示せず）の開閉操作が行われる宅内操作器と接続するために設けられた遮断弁開閉端子１２ｂと、ガス漏れ警報器に接続するために設けられた警報器端子１２ｃと、他の外部警報機器と接続するために設けられた外部機器端子１２ｄ、１２ｅとを備えている。
【００３２】
上述したガスメータは、ガス流量を計測する流量センサと、該流量センサの出力に基づき、料金体系（大容量・長時間・指定時間・通常・合計）毎にガス使用量の積算値をカウントするカウント部と、料金体系毎の先月の締め日より現在までのガス使用量の積算値が格納される現在積算値メモリ、先月分のガス使用量の積算値が格納される先月積算値メモリ、先々月分のガス使用量の積算値が格納される先々月積算値メモリといった内部メモリ（何れも図示せず）を備えている。
【００３３】
また、上述したガスメータ１０は、上述したＮＣＵ及び通信端子１２ａを介して、管理センタ側から電文を受信すると、電文の指示通りの動作を行う。具体的には、まず、検針を行う前に現在積算値の値をしめるため管理センタ側より専用の電文を送る。これにより、ガスメータ１０は、先々月積算値メモリの内容を、先月積算値メモリの内容に書き換え、先月分積算値メモリの内容を、現在積算値メモリの内容に書き換える。さらに、ガスメータ１０は、現在積算値メモリを０にリセットする。
【００３４】
その後、先月積算値をガスメータ１０から読み出すと共に、読み出した積算値を通信端末１２ａ及びＮＣＵを介して管理センタ側に送信する。なお、管理センタからの検針要求は、毎月決まった日に行われる。
【００３５】
また、電文の内容が、ガス使用量の積算値や、保安情報などの読出を要求するものであれば、上述したガスメータ１０は、料金体系毎のガス使用量の積算値や、保安情報などの読み出すと共に、読み出した情報を通信端子１２ａ及びＮＣＵを介して、管理センタ側に送信する。
【００３６】
次に、本発明の表示装置２０について、説明する。表示装置２０は、図１に示すように、端子台１２を覆うカバー１３と一体に設けられている。この表示装置２０は、図３に示すように、ガスメータ１０に設けられている通信端子１２ａと対向する基板から、上記通信端子１２ａに接続可能な接続ピン２１（表示装置側端子に相当）が突起している。このような構成にすることにより、カバー１３をガスメータ１０に取り付ける際に、接続ピン２１を通信端子１２ａに接触させるだけで、簡単に、通信端子１２ａと接続ピン２１とを接続することができる。
【００３７】
次に、上述した表示装置の内部構成について、図４を参照して、以下説明する。同図に示すように、表示装置２０は、上述した接続ピン２１、端子台２２及びインタフェース２３を備えている。上記インタフェース２３には、上述したＮＣＵ３０が端子台２２（請求項中の通信端子に相当）を介して接続されている。
【００３８】
また、インタフェース２３には、上述したガスメータ１０が接続ピン２１を介して接続されている。さらに、表示装置２０は、マイクロコンピュータ２４（以下、μＣＯＭ２４）、スイッチ２５、表示器２６及び電池２７を備えている。
【００３９】
μＣＯＭ２４は、周知のように、予め定めたプログラムに従って各種の処理や制御などを行う中央処理ユニット２４ａ（以下、ＣＰＵ２４ａ）、ＣＰＵ２４ａのためのプログラム等を格納した読み出し専用メモリであるＲＯＭ２４ｂ、各種のデータを格納すると共にＣＰＵ２４ａの処理作業に必要なエリアを有する読み出し書き込み自在のメモリであるＲＡＭ２４ｃ等を内蔵している。上記ＲＯＭ２４ｂ内には、上述したガスメータ１０が、管理センタとの通信で用いるのと同じ電文が格納されている。また、ＲＡＭ２４ｃ内には、料金体系毎のガス単価情報が格納されている。
【００４０】
スイッチ２５は、表示器２６に、各種情報の表示要求を行うために設けられたもので、図１（Ｂ）に示すように、表示装置２０表面に設けられている。そして、例えば、先月の締め日から現在までのガスの使用量の積算値、先月の締め日から現在までのガス使用料金、先月分のガス使用量の積算値、先月分のガス使用料金、保安情報などの表示要求操作が行われる。電池２７は、μＣＯＭ２４などに電源を供給するためのものである。
【００４１】
なお、上述した構成から明らかなように、表示装置２０に端子台２２を設け、この端子台２２にＮＣＵ３０を接続することにより、ガスメータ１０と、ガスメータ１０−管理センタ間の通信を制御するＮＣＵ３０とは、表示装置２０を介して接続されることになる。従って、ガスメータ１０−管理センタ間の通信を表示装置２０を介して行えるようにすれば、ガスメータ１０の通信端子１２ａを使って表示装置２０を接続してもガスメータ１０−管理センタ間の通信が行えるようになっている。
【００４２】
上述した構成の表示装置の動作について以下説明する。表示装置２０内のＣＰＵ２４ａは、送信手段として働き、ガス消費者又はガス作業員によって、上記スイッチ２５の操作が行われると、そのスイッチ２５の操作に応じた電文（請求項中の読出信号に相当）をＲＯＭ２４ｂから読み出し、インタフェース２３、接続ピン２１を介してガスメータ１０に送信する。そして、ガスメータ１０は、受信した電文に応じた情報を内部メモリから読み出し、読み出した情報を表示装置２０に対して送信する。
【００４３】
そして、表示装置２０内のＣＰＵ２４ａは、表示器２６に、ガスメータ１０から受信した情報をそのまま表示させたり、又は、受信した情報に基づいて所定の演算を行って得た演算情報を表示させる。このため、ガスメータ１０自身に内部メモリに格納された情報に基づいた演算を行う機能や、受信した情報や、演算して得た演算情報を表示するための機能を持たすことなく、ガス消費者又はガス作業員が、表示装置２０を使っていつでも、ガスメータ１０の内部メモリに格納されている情報を確認することができる。
【００４４】
より詳細に説明すると、スイッチ２５の操作が、「先月の締め日から現在までのガスの使用量の積算値」の表示を要求する操作であれば、ＣＰＵ２４ａは、「先月の締め日から現在までのガス使用量の積算値」の読み出しを要求する電文を、ガスメータ１０に対して送信する。そして、ガスメータ１０は、上述した電文の受信に応じて、現在積算値メモリから料金体系毎の「先月の締め日から現在までのガス使用量の積算値」を読み出し、読み出した情報を表示装置２０に対して送信する。
【００４５】
そして、表示装置２０内のＣＰＵ２４ａは、表示手段として働き、表示器２６に、ガスメータ１０から受信した料金体系毎の「先月の締め日から現在までのガス使用量の積算値」を、一定時間毎に表示させる。
【００４６】
一方、上記スイッチ２５の操作が「今月分のガス使用料金」の表示を要求する操作があった場合、ＣＰＵ２４ａは、演算手段として働き、上述して得た料金体系毎の「先月の締め日から現在までの今月のガス使用量」に、料金体系毎のガス単価情報を乗算して料金体系毎の「先月の締め日から現在までの今月のガス使用料金」を得て、表示器２６に表示させる。
【００４７】
さらに、スイッチ２５の操作が、「保安情報」の表示を要求する操作であれば、ＣＰＵ２４ａは、「保安情報」の読み出しを要求する電文を、ガスメータ１０に対して送信する。そして、ガスメータ１０は、上述した電文の受信に応じて、内部メモリから各種保安情報を読み出し、読み出した情報を表示装置２０に対して送信する。そして、ガスメータ１０から上記保安情報を受信した表示装置２０内のＣＰＵ２４ａは、その保安情報を表す数字や記号などのキャラクタを表示器２６に表示させる。
【００４８】
また、ＣＰＵ２４ａは、管理センタからガス単価情報の書き換えを要求する電文を受信すると、書換手段として働き、ＲＡＭ２４ｃ内に格納されたガス単価情報を、その電文に応じて書き換える。このため、ガス会社は、料金の改正があった場合に、簡単にガス単価情報を書き換えることができる。
【００４９】
なお、上述した実施形態では、ポストペイド式のガス料金の支払いを採用していたが、プリペイド式のガス料金の支払いを採用するガス会社であれば、ガスメータ１０の内部メモリに格納されたプリペイドのガス残量や、ガス料金を表示装置２０で表示させたり、ガス追加分の体積を設定するようにすることも考えられる。
【００５０】
なお、上述した実施形態では、表示装置２０をカバー１３と一体に設けていたが、例えば、図５（Ａ）に示すように、カバー１３とは別体に設け、カバー１３のネジ孔と共締めできるネジ孔３１を設け、図５（Ｂ）に示すように、ビス１４により、カバー１３と共締めしてガスメータ１０に取り付けることも考えられる。
【００５１】
また、図６に示すように、ガスメータ１０に取り付けたステー４０によって、表示装置２０を固定したり、また、ステー４０を使わず、ガスメータ１０付近の壁に穴を開けて、その壁に表示装置２０を固定することも考えられる。しかしながら、上述したようにカバー１３と一体に設けたり、カバー１３と共締めして、表示装置２０を固定設置することにより、ステー４０をガスメータ１０に取り付けたり、ステー４０を別に購入したりする必要がなく、表示装置２０の取り付け作業が簡単となり、さらにコストダウンを図ることができる。また、壁に穴をあける必要もなくなり、取り付け場所を選定したり、設置先への承諾が不要となる。
【００５２】
また、上述した実施形態では、ガスメータ１０内の通信端子１２ａに、表示装置２０の接続ピン２１を接続していたが、例えば、図２に示す遮断弁開閉端子１２ｂに接続ピン２１を接続することも考えられる。
【００５３】
【発明の効果】
以上説明したように、請求項１記載の発明によれば、ガスメータが本来持っている読出信号の受信に応じて内部メモリに格納された情報を読み出すと共に、該読み出した情報をメータ側端子を介して外部に送信するという機能を流用して、ガスメータに外付けした表示装置によって、内部メモリの情報に基づいた演算情報を表示することができる。このため、ガスメータ自身に内部メモリに格納された情報に基づいて演算する機能や、演算して得た演算情報を表示するための機能を持たすことなく、情報を表示することができるので、コストダウンを図った表示装置を得ることができる。
【００５４】
請求項２記載の発明によれば、メータ側端子としてガスメータ側通信端子を用いた場合、このガスメータ側通信端子と通信装置との接続ができなくなるが、表示装置に通信装置が接続される通信端子を備えることにより、表示装置を介して、通信装置との接続ができるようになるので、メータ側端子としてガスメータ側通信端子を用いた場合であってもガスメータと管理センタとの通信を可能とする表示装置を得ることができる。
【００５５】
請求項３記載の発明によれば、ガス消費者が、表示装置を使ってガス使用量の積算値だけでなく、ガス料金を確認することができる。しかも、ガスメータ自身にガス料金を演算する機能を持たせなくても、ガス料金を表示することができるので、コストダウンを図った表示装置を得ることができる。
【００５６】
請求項４記載の発明によれば、ガス会社が多様な料金体系を採用している場合であっても、ガス消費者がガス料金を確認することができる。しかも、ガスメータ自身にガス料金を演算する機能を持たせなくても、ガス料金を表示することができるので、コストダウンを図った表示装置を得ることができる。
【００５７】
請求項５記載の発明によれば、料金の改正があった場合に、簡単に単価情報を書き換えることができる表示装置を得ることができる。
【００５８】
請求項６記載の発明によれば、ガス消費者や、ガス作業員が、表示装置を使って保安情報や、プリペイドのガス残量情報を確認することができる表示装置を得ることができる。
【００５９】
請求項７記載の発明によれば、カバーと一体に設けることにより、表示装置をガスメータ付近に配置する際に、ガスメータ側面などにステーを介して固定したり、ガスメータ付近の壁に穴を開けて固定する必要がなく、カバーを取り付けるだけでよいので、簡単な作業で、かつ、コスト的に安価に取付を行うことができる表示装置を得ることができる。
【００６０】
請求項８記載の発明によれば、カバーを取り付ける際に、表示装置側端子をメータ側端子に接触させることにより、メータ側端子と表示装置側端子とを接続することができるので、より一層簡単な作業で、ガスメータとの接続を行うことができる表示装置を得ることができる。
【００６１】
請求項９記載の発明によれば、表示装置をガスメータ付近に配置する際に、ガスメータ側面などにステーを介して固定したり、ガスメータ付近の壁に穴を開けて固定する必要がなく、カバーと表示装置を共締めして、ガスメータに取り付けるだけでよいので、簡単な作業で、かつ、コスト的に安価に取付を行うことができる表示装置を得ることができる。
【図面の簡単な説明】
【図１】ガスメータ、本発明の表示装置及び該表示装置が取り付けられたガスメータの一実施の形態を示す外観図である。
【図２】図１のガスメータ１０に設けられた端子台１２の詳細な図である。
【図３】表示装置２０が取り付けられたガスメータ１０の部分断面図である。
【図４】図１の表示装置の内部構成を示す図である。
【図５】表示装置及び表示装置が取り付けられたガスメータの他の実施形態を示す外観図である。
【図６】表示装置及び表示装置が取り付けられたガスメータの他の実施形態を示す外観図である。
【符号の説明】
１０　　ガスメータ
１２　　端子台（メータ側端子）
１３　　カバー
２０　　表示装置
２１　　接続ピン（表示装置側端子）
２２　　端子台（通信端子）
２４ａ　ＣＰＵ（送信手段、表示手段、演算手段）
３０　　ＮＣＵ（通信装置）
３１　　ネジ孔
【図１】
2004101309.tif 000003
【図２】
2004101309.tif 000004
【図３】
2004101309.tif 000005
【図４】
2004101309.tif 000006
【図５】
2004101309.tif 000007
【図６】
2004101309.tif 000008